(57)【要約】【課題】前面枠に設けられる装飾部を複数の区画領域に仕切る仕切板自体を光らせることで装飾効果を高めた遊技機を提供する【解決手段】装飾部Ａには光透過性樹脂材からなる枠体状の装飾カバー７を複数の区画領域２２に仕切る仕切板２１が設けられ、該仕切板２１を光照射する発光手段２６を備えた。【選択図】図３
2009082303.tif 000002
【特許請求の範囲】
【請求項１】
遊技者が遊技盤を透視する窓部が設けられ、該窓部の周囲に装飾部が設けられる前面枠を備えた遊技機であって、
前記装飾部には光透過性樹脂材からなる枠体状の装飾部材を複数の区画領域に仕切る仕切板が設けられ、該仕切板を光照射する発光手段を備えた遊技機。
【請求項２】
前記発光手段は、仕切板の端面部に対応する部位に仕切板用光源が設けられ、該仕切板の板厚方向両側面には仕切板用光源の照射光を反射するための反射面が各々設けられている請求項１記載の遊技機。
【請求項３】
前記仕切板によって仕切られた各区画領域には、当該各区画領域内を光照射する区画領域用光源が設けられている請求項１又は請求項２記載の遊技機。
【請求項４】
前記前面枠には、区画領域用光源の照射光を透視させかつ各区画領域への入射光を拡散する拡散部が設けられている請求項２又は３記載の遊技機。
【請求項５】
前記各区画領域に音声を出力するスピーカーが各々組み付けられている請求項１乃至４のうちいずれか１項記載の遊技機。
【請求項６】
前記遊技盤に帯状発光部を設け、前記仕切板の前面側端面模様が前記帯状発光部と遊技者側から見て連続模様として視認される請求項１乃至５のうちいずれか１項に記載の遊技機。
【発明の詳細な説明】
【技術分野】
【０００１】
本発明は、遊技機に関する。
【背景技術】
【０００２】
パチンコ機などの遊技機前面には、前面枠が設けられる。この前面枠には遊技者が遊技盤を透視する窓部が設けられ、該窓部の周囲に光源を内蔵した装飾部材や音声を出力するスピーカーなどを含む装飾部が設けられる。
【０００３】
スロットマシンなどにおいては、パネルに設けられた複数の表示シンボルを背面側に設けられた光源（ランプ）を点灯して表示する。各表示シンボルは、光源の照射光が互いに干渉して誤表示されるのを防ぐため、光源の周囲を仕切板で囲まれたランプハウスが各々形成されて専ら前面側へ光照射するようになっている（特許文献１参照）。
【特許文献１】特開平１０−１０８９３９号公報
【発明の開示】
【発明が解決しようとする課題】
【０００４】
しかしながら、上述したパチンコ機の前面枠に設けられる装飾部において、装飾部材どうしの光の干渉を防ぐため仕切板を設けたり、スロットマシンのランプハウスのように、隣り合う光源どうしの光の干渉を防ぐため仕切板を設けたりすると、当該仕切板の部分は遊技者側から見て装飾的にはデッドスペースとして暗く表示され、装飾効果が低減するという課題がある。
【０００５】
本発明の目的は、前面枠に設けられる装飾部を複数の区画領域に仕切る仕切板自体を光らせることで装飾効果を高めた遊技機を提供することにある。
【課題を解決するための手段】
【０００６】
本発明は上記目的を達成するため、次の構成を備える。
遊技者が遊技盤を透視する窓部が設けられ、該窓部の周囲に装飾部が設けられる前面枠を備えた遊技機であって、前記装飾部には光透過性樹脂材からなる枠体状の装飾部材を複数の区画領域に仕切る仕切板が設けられ、該仕切板を光照射する発光手段を備えたことを特徴とする。
【０００７】
また、前記発光手段は、仕切板の端面部に対応する部位に仕切板用光源が設けられ、該仕切板の板厚方向両側面には仕切板用光源の照射光を反射するための反射面が各々設けられていることを特徴とする。
【０００８】
また、前記仕切板によって仕切られた各区画領域には、当該各区画領域内を光照射する区画領域用光源が設けられていることを特徴とする。  
【０００９】
また、前記前面枠には、仕切板用光源及び区画領域用光源の照射光を透視させかつ各区画領域への入射光を拡散する拡散部が設けられていることを特徴とする。
【００１０】
また、前記各区画領域に音声を出力するスピーカーが各々組み付けられていることを特徴とする。
【００１１】
また、前記遊技盤に帯状発光部を設け、前記仕切板の前面側端面模様が前記帯状発光部と遊技者側から見て連続模様として視認されることを特徴とする。
【発明の効果】
【００１２】
上述した遊技機を用いれば、装飾部には光透過性樹脂材からなる枠体状の装飾部材を複数の区画領域に仕切る仕切板が設けられ、該仕切板を光照射する発光手段を備えたので、通常は装飾的にデッドスペースとなる仕切板の端面より遊技機前方及び側方へ光照射して装飾効果を高めることができる。
【００１３】
また、発光手段は、仕切板の端面部に対応する部位に仕切板用光源が設けられているので、仕切板の板厚範囲の近傍から光が入射して前面側端面より照射する光を遊技者が直接視認することができる。また、仕切板の板厚方向両側面には仕切板用光源の照射光を反射するための反射面が各々設けられているので、仕切板の端面から入射した光が区画領域へ拡散することがない。よって、発光手段から仕切板の板厚範囲で入射した光が遊技者側より鮮明に視認できるので、装飾部の装飾性を高めることができる。
【００１４】
また、仕切板によって仕切られた各区画領域には、当該各区画領域内を光照射する区画領域用光源が設けられていると、区画領域内を区画領域用光源により光照射しかつ仕切板端面を仕切板用光源により各々光照射し、これらの発光態様や発光色の組み合わせを変えることで多様な装飾効果が得られるため、演出効果を高めることができる。
【００１５】
また、前面枠には、区画領域用光源の照射光を透視させかつ各区画領域への入射光を拡散する拡散部が設けられていると、区画領域用光源の照射光を拡散部により拡散することができるので、少ない区画領域用光源で区画領域内全体を明るく照射することができる。
【００１６】
また、各区画領域に音声を出力するスピーカーが各々組み付けられていると、スピーカーからの音声出力と当該スピーカー周辺部の区画領域や仕切板端面の発光態様を組み合わせることで、視覚的及び聴覚的に多様な演出効果が得られる。
【００１７】
また、遊技盤に帯状発光部を設け、仕切板の前面側端面模様が帯状発光部と遊技者側から見て連続模様として視認されるので、遊技盤上の帯状発光部の発光と仕切板の前面側端面模様の発光を関連付けることで、遊技機全体にわたって装飾及び演出効果を高めることができる。
【発明を実施するための最良の形態】
【００１８】
以下、本発明の実施形態について図面を参照しながら具体的に説明する。
図１を参照して本実施形態に係る遊技機の概略構成について説明する。本実施形態では遊技機の一例としてパチンコ機を例示して説明するものとする。遊技機１は、外枠２と遊技盤３が設けられた内枠（図示せず）と、該内枠を覆う前面枠４を備えている。図示しない内枠はヒンジ５により外枠２に対して開閉可能に取り付けられている。また、前面枠４は内枠に対して開閉可能に取り付けられている（ヒンジ部図示せず）。前面枠４の中央部には遊技者が遊技盤３を透視できる窓部４ａが設けられている。該窓部４ａの周囲には装飾部Ａが設けられる。装飾部Ａには、後述するスピーカーユニット６や光透過性樹脂材よりなる装飾カバー７などが設けられている。
【００１９】
また、前面枠４の下方には遊技球を一時的に貯留する球受け皿８、球受け皿８の左側にタバコの吸殻を収容する灰皿９、球受け皿８の右側に遊技盤３に遊技球を打ち出すためのハンドル１０が各々設けられている。
【００２０】
遊技盤３は図示しない裏ユニットの前面側に一体に組み付けられて遊技盤ユニットを形成している。遊技盤３は例えば方形状の透明樹脂板（アクリル樹脂板、ポリカーボネイト樹脂板など）或いはベニヤ板などにより形成されている。遊技盤３には中央窓部３ａが形成されている。中央窓部３ａは凹面部若しくは開口部であり図示しない裏ユニットに設けられる図柄表示装置１１や装飾部材１２が視認可能に配置されている。
【００２１】
本実施例では透明樹脂板が用いられ、該透明樹脂板には帯状発光部３ｂが設けられている。帯状発光部３ｂは、透明樹脂板の背面側にライン状の模様が刻設されたものである。この帯状発光部３ｂは透明樹脂板の端面に設けられた光源から入射した光により発光するようになっている。尚、ベニヤ板を用いた場合にはレンズを盤面部品とともに組み付けて帯状発光部３ｂが形成される。帯状発光部３ｂは装飾カバー７の内部を仕切る仕切板２１と連続模様となるように形成されている。透明樹脂板の前面側には、釘１３、スルーチャッカー１４、チャッカー１５、風車１６、アタッカー１７、電動チューリップ１８、レール１９などの盤面部品やアウトロ２０などが設けられている。
【００２２】
ここで、装飾部Ａの構成について図２乃至図５を参照して説明する。図２は図１の遊技機１を正面視して右上コーナー部の構成を示す斜視図、図３は図２の一部破断斜視図、図４は仕切板を含む装飾部Ａの断面図、図５は装飾部Ａの分解斜視図である。図２において、装飾部Ａの前面側は光透過性樹脂材（ポリカーボネイト樹脂材、アクリル樹脂材など）を用いた中空枠体状の装飾カバー７に覆われている。図３において、スピーカーユニット６は、ベース部３０のコーナー部近傍に組み付けられる。
【００２３】
また、図２において、装飾カバー７の表面部にはスピーカーユニット６の対向部に小孔開口部７ａや開口部２３が設けられている。装飾カバー７の内部は、複数の仕切板２１に仕切られた区画領域２２が設けられている。仕切板２１には、光透過性樹脂材（ポリカーボネイト樹脂材、アクリル樹脂材など）が好適に用いられる。仕切板２１に仕切られた区画領域２２には、小孔開口部７ａに対向してスピーカーユニット６が配置され、開口部２３に対向してスピーカー２４が各々設けられている。
【００２４】
図３において各スピーカー２４は、スピーカー本体２４ｂの前面側に小孔が形成されたカバー体２４ａが、爪部２４ｃをスピーカー本体２４ｂに係止することで一体に組み付けられている。このようにユニット化された各スピーカー２４が、開口部２３を塞ぐように当該開口部２３の周縁部に設けられたフック２３ａと係止して装飾カバー７に各々組み付けられている。
【００２５】
また、図３及び図４においてベース部３０には発光基板２５（発光手段）が組み付けられている。この発光基板２５には、仕切板２１の端面より遊技機前方へ光照射する仕切板用光源２６（図４参照）、及び仕切板２１によって仕切られた各区画領域２２には、遊技機前方へ光照射する区画領域用光源２７が設けられている（図３参照）。仕切板用光源２６や区画領域用光源２７には、単色又はフルカラーのＬＥＤが好適に用いられる。尚、仕切板用光源２６と区画領域用光源２７は、別基板に設けられていても良い。また、仕切板用光源２６や区画領域用光源２７は、遊技機前方へ向けて光照射するように設けたが、この配置構成に限られるものではなく仕切板用光源２６は仕切板２１を、区画領域用光源２７は区画領域２２を各々光照射するように設けられていればよい。
【００２６】
このように、同一発光基板２５に複数の光源を配置することで、部品点数や設置面積を削減することができ、装飾部Ａの小型化に寄与できる。また、装飾部Ａを小型化することで窓部４ａの面積を大きくすることができるので、遊技領域の広域化に対応して遊技者側から視認できる領域を拡大することができる。また、発光基板２５に仕切板２１を光照射する仕切板用光源２６を備えたので、通常は装飾的にデッドスペースとなる仕切板２１の端面より遊技機前方へ光照射して装飾効果を高めることができる。また、区画領域２２内を区画領域用光源２７により光照射しかつ仕切板端面を仕切板用光源２６により各々光照射し、これらの発光態様や発光色の組み合わせを変えることで多様な装飾効果が得られるため、演出効果を高めることができる。
【００２７】
図３において、仕切板２１の板厚方向両側面には仕切板用光源２６の照射光を反射するための反射面（鏡面）２８が各々設けられている。これにより、仕切板２１の端面から入射した仕切板用光源２６の照射光が区画領域２２へ拡散することがない。よって、仕切板用光源２６から仕切板２１の板厚範囲で入射した光が遊技者側より鮮明に視認できるので、装飾部Ａの装飾性を高めることができる。また、仕切板２１には、端面以外の側面に入射した光を拡散させる彫刻等が施されていても良い。また、反射面２８は両面が鏡面であるシール等を用いることで、区画領域用光源２７の光も反射することができる。また、反射面２８は平面形状に限らず曲面形状や凹凸面形状であってもよい。
【００２８】
また、図３において、スピーカーユニット６の背面側には当該スピーカーユニット６に設けられた発光手段から照射された光を遊技機前面側へ向けて反射する反射板（反射部）２９ａが設けられている。また、区画領域２２の背面側には拡散板２９ｂ（拡散部）が設けられている。拡散板２９ｂは区画領域用光源２７の照射光を透視させかつ各区画領域２２への入射光を拡散する。このように、区画領域用光源２７の照射光を拡散板２９ｂにより拡散することができるので、少ない区画領域用光源２７で区画領域２２内全体を明るく照射することができる。
【００２９】
尚、図４において、仕切板用光源２６からの照射光を直接端面に入射するようにするために、仕切板２１の端面に対向する部位には拡散板２９ｂは設けられていない。また、スピーカーユニット６の背面側に拡散板２９ｂ及び区画領域用光源２７を配置して、スピーカーユニット６を照射するようにしてもよい。また、反射板２９ａ及び拡散板２９ｂは、樹脂板を二次加工したもの（シール貼付、塗料塗布）であってもよい。
【００３０】
このように、各区画領域２２に音声を出力するスピーカーユニット６やスピーカー２４が各々配設されていると、スピーカーユニット６やスピーカー２４からの音声出力と区画領域２２や仕切板２１端面の発光態様を組み合わせることで、視覚的及び聴覚的に多様な演出効果が得られる。
【００３１】
ここで、装飾部Ａの組立て構成の一例について図５を参照して説明する。
Ｌ字状のベース部３０の背面側には縦横方向に板金３０ａ、３０ｂがねじ止めされて補強される。ベース部３０の前面側には発光基板２５がねじ止めされる。発光基板２５は、スピーカーユニット６の設置領域以外に組み付けられる。
【００３２】
反射板２９ａ及び拡散板２９ｂの所定位置には仕切板２１が端面部を各々ねじ止めされる。仕切板２１がねじ止めされた反射板２９ａは、ベース部３０に突設されたボス部３０ｃを貫通孔２９ｃに挿入することで位置合わせして組み付けられる（図３参照）。また、仕切板２１がねじ止めされた拡散板２９ｂは発光基板２５を覆ってベース部３０にねじ止めされる。また、スピーカーユニット６は、背面側のボス部３４ｂをベース部３０のボス部３０ｃと位置合わせしてねじ止めにより固定される（図３参照）。また、スピーカー２４が開口部２３を塞ぐように当該開口部２３の周縁部に設けられたフック２３ａと係止して装飾カバー７に各々組み付けられ、当該装飾カバー７がベース部３０を覆うように一体に組み付けられる（図３参照）。尚、各部材どうしの組み付け構造はねじ止めに限らず、接着や嵌め合わせなど他の組み付け構造でもよい。
【００３３】
次に、スピーカーユニット６の具体的な構成について図６乃至図９を参照して説明する。図６において、スピーカーユニット６は光透過性樹脂材よりなるケース体３１に音声を出力するスピーカー３２と、ケース体３１に向けて光照射する発光基板３７（発光手段；図７参照）が収納されている。このように、スピーカー３２及び発光基板３７がケース体３１内に一体に組み付けられているので、遊技機１（図１参照）に対するスピーカーユニット６の組付け面積が少なく小型化が図れ、しかも発光基板３７がケース体３１へ光照射して光らせるためスピーカー設置領域の装飾効果を高めることができる。
ケース体３１は、前方に開口３３ａが形成された第１ケース体３３と、背面側の半球状の第２ケース体３４が止めねじ４１により一体に組み付けられている(図７参照)。尚、ケース体３１は前面側に開口部を有する一体型ケースであってもよい。
【００３４】
図７において、ケース体３１内には発光基板３７により光照射される装飾部材が収納されている。具体的には、第１ケース体３３内にはスピーカー３２の前方に発光基板３７により光照射される光透過性樹脂材よりなる第１装飾部材３５が設けられている。第１装飾部材３５は、スピーカー３２の外周側前方に同心状に配置されたリング状の導光管４０(図６参照)が背面側の発光基板３７に対向して設けられる。発光基板３７より照射された光が第１装飾部材３５を光らせて、外部から直接視認できるケース体３１の装飾効果を高めることができる。また、第１装飾部材３５は、スピーカーの音声を減退させることがない形状や配置であればよく、例えば、板状の透明樹脂材に小孔を複数形成したものをスピーカー前面に配置する構造であってもよい。
【００３５】
また、図７において、第２ケース体３４内にはスピーカー３２の後方に発光基板３７より光照射される光透過性樹脂材よりなる断面半球状の第２装飾部材３６が設けられている。第２装飾部材３６は、スピーカー３２の背面側コーン部分を覆うように同心状に設けられる。第２装飾部材３６は、発光基板３７からの照射光を乱反射させるためにシボやローレットが形成されていたり模様などが刻設されていたりしても良いし、全体或いは部分的に着色されていてもよい。第２装飾部材３６の発光態様をケース体３１や反射板２９や装飾カバー７を通じて遊技者側へ直接的又は間接的に視認させることができるので装飾効果が高まる。尚、装飾部材は、スピーカー３２の少なくとも前方又は後方のいずれか一方に設けられていればよい。
【００３６】
また、ケース体３１内に収納される発光基板３７の前面には第１装飾部材３５へ光照射する第１光源３８が設けられ、該発光基板３７の背面には第２装飾部材３６へ光照射する第２光源３９が設けられている。第１光源３８、第２光源３９としては、単色又はフルカラーのＬＥＤが好適に用いられる。このように発光基板３７の両面に光源を各々配置することで、部品点数が減少し、スピーカーユニット６の小型化を図ることができる。第１光源３８を点灯すると、照射光が導光管４０を通じて周方向へ導かれ、全体としてリング状に発光するようになっている。また、第２光源３９を点灯すると、照射光が第２装飾部材３６を通じて周囲へ拡散し或いは反射板２９ａ（図３参照）に反射して、遊技機前面側から反射光を視認することができるようになっている。
【００３７】
図７において、第２装飾部材３６、発光基板３７、スピーカー３２、第１装飾部材３５は、止めねじ４２によって一体に組み付けられている。また、第２装飾部材３６のフランジ部３６ａは、第１ケース体３３と第２ケース体３４によって挟み込まれている。
【００３８】
図７では、第２装飾部材３６が断面半球状をしているが、図８に示すようにスピーカー３２の背面側コーン部分の外周側に光透過性樹脂材よりなる複数のリング状装飾板４３を同心状に並べて全体として断面ルーバー形状にしてもよい。装飾板４３は、第２光源３９からの照射光を装飾板４３の端面部より導光して周辺部を光らせたり、各装飾板４３で拡散させたりするようになっている。
【００３９】
ここでスピーカーユニット６の組立て構成の一例について図９を参照して説明する。第１装飾部材３５の背面側には、ねじ孔４４ａが設けられたボス部４４が複数箇所に突設されている。スピーカー３２の径方向外側に向けて突設された取付フレーム４５には、ねじ孔４６が設けられている。また、発光基板３７には、中心部にスピーカー３２の背面側コーン部分と干渉しないように抜き孔３７ａが形成されている。また、発光基板３７の基板周縁部には、ねじ孔４７が設けられている。更には第２装飾部材３６の外周縁部を構成するフランジ部３６ａには、ねじ孔４８が設けられている。
【００４０】
第２装飾部材３６のねじ孔４８、発光基板３７のねじ孔４７、スピーカー３２のねじ孔４６、第１装飾部材３５のボス部４４の設けられたねじ孔４４ａを各々位置合わせする。この状態で、ねじ孔４８から止めねじ４２を各ねじ孔を挿通して先端をボス部４４の設けられたねじ孔４４ａにねじ嵌合させて一体に組み付ける。
【００４１】
そして、第２装飾部材３６のフランジ部３６ａの外周に設けられた切欠き部３６ｂを第１ケース体３３の背面側端面部に設けられたボス部４９と位置合わせして当該フランジ部３６ａを第１ケース体３３の端面部に重ね合わせる。ボス部４９にはねじ孔４９ａが設けられている。そして、第２ケース体３４に設けられたねじ孔３４ａをボス部４９のねじ孔４９ａと位置あわせして、止めねじ４１を挿入してねじ嵌合させることでスピーカーユニット６が一体に組み付けられる。スピーカーユニット６は、ベース部３０に対してねじ止めされて一体に組み付けられる（図３、図５参照）。
【００４２】
このように、スピーカーユニット６が遊技盤３を透視する窓部４ａの周囲に設けられる装飾部Ａの一部として前面枠４（図１参照）に組み付けられていると、スピーカーユニット６が小型でスピーカーユニット設置領域の装飾性が向上するとともに組立て工数が削減できる。また、スピーカーユニット６が発光手段を備えているため、前面枠４に組付けられる装飾カバー７の発光態様との組み合わせやスピーカー３２から出力される音声との組み合わせによる多彩な演出効果が得られる。
また、スピーカーユニット６の前方への光照射による装飾効果と反射板２９からの反射光による装飾効果の組み合わせにより、光の色合いにより相乗的な装飾効果が生まれる。
【００４３】
また、図１において、仕切板２１の前面側端面模様が帯状発光部３ｂと遊技者側から見て連続模様として視認されるので、遊技盤３上の帯状発光部３ｂの発光と仕切板２１の前面側端面模様の発光を関連付けることで、遊技機全体にわたって装飾効果、演出効果を高めることができる。
【００４４】
なお、本発明では遊技機の一例としてパチンコ遊技機について説明したが、スマートボールやアレンジボールなど他の遊技機にも適用できる。
【図面の簡単な説明】
【００４５】
【図１】遊技機の正面透視図である。
【図２】装飾部の斜視図である。
【図３】図２の装飾部の一部破断斜視図である。
【図４】仕切板を含む装飾部の断面図である。
【図５】装飾部の分解斜視図である。
【図６】スピーカーユニットの斜視図である。
【図７】スピーカーユニットの断面図である。
【図８】他例に係るスピーカーユニットの断面図である。
【図９】スピーカーユニットの分解斜視図である。
【符号の説明】
【００４６】
Ａ  装飾部
１  遊技機  
２  外枠  
３  遊技盤  
３ａ  中央窓部  
３ｂ  帯状発光部
４  前面枠  
４ａ窓部  
５  ヒンジ  
６  スピーカーユニット  
７  装飾カバー  
７ａ  小孔開口部  
８  球受け皿  
９  灰皿  
１０  ハンドル  
１１  図柄表示装置  
１２  装飾部材
１３  釘  
１４  スルーチャッカー  
１５  チャッカー  
１６  風車  
１７  アタッカー  
１８  電動チューリップ  
１９  レール  
２０  アウトロ  
２１  仕切板  
２２  区画領域  
２３  開口部  
２３ａ  フック部
２４、３２  スピーカー  
２４ａ  カバー体
２４ｂ  スピーカー本体
２４ｃ  爪部
２５、３７  発光基板  
２６  仕切板用光源  
２７  区画領域用光源  
２８  反射面  
２９ａ  反射板  
２９ｂ  拡散板
３０  ベース部  
３０ａ、３０ｂ  板金
３０ｃ、３４ｂ、４４、４９  ボス部  
３１  ケース体  
３３  第１ケース体  
３３ａ  開口  
３４  第２ケース体  
３４ａ、４４ａ、４６、４７、４８，４９ａ  ねじ孔  
３５  第１装飾部材  
３６  第２装飾部材  
３６ａ  フランジ部  
３６ｂ  切欠き部
３８  第１光源  
３９  第２光源  
４０  導光管  
４１、４２  止めねじ  
４３  装飾板  
４５  取付フレーム
【図１】
2009082303.tif 000003
【図２】
2009082303.tif 000004
【図３】
2009082303.tif 000005
【図４】
2009082303.tif 000006
【図５】
2009082303.tif 000007
【図６】
2009082303.tif 000008
【図７】
2009082303.tif 000009
【図８】
2009082303.tif 000010
【図９】
2009082303.tif 000011